(57)【要約】【課題】本発明は、シート加熱手段（ヒータ）に一定時間以上通電がなくシートが吸湿したと考えられる場合には、通電がＯＮになってから所定時間はシートを加熱乾燥させることによって、シート吸湿による転写不良、搬送不良などの問題を回避することのできる画像形成装置を提供することを目的としている。【解決手段】上記課題を解決するために、本発明に係る画像形成装置の代表的な構成は、画像形成部に給送するシートを収納するシート収納部と、前記シート収納部の内部若しくは近傍に備えられたシート加熱手段とを有する画像形成装置において、前記シート加熱手段への通電がなかった時間に応じて、通電がＯＮになってからの所定時間、該シート加熱手段の温度若しくは該シート加熱手段へ供給する電力量を制御することを特徴とする。【選択図】　　図１
2004026394.tif 000002
【特許請求の範囲】
【請求項１】
画像形成部に給送するシートを収納するシート収納部と、
前記シート収納部の内部若しくは近傍に備えられたシート加熱手段とを有する画像形成装置において、
前記シート加熱手段への通電がなかった時間に応じて、通電がＯＮになってからの所定時間、該シート加熱手段の温度若しくは該シート加熱手段へ供給する電力量を制御することを特徴とする画像形成装置。
【請求項２】
前記シート加熱手段への通電が一定時間以上なかった場合には、通電がＯＮになってからの所定時間、通常状態より多くのシート加熱手段を動作させることを特徴とする請求項１記載の画像形成装置。
【請求項３】
前記シート加熱手段への通電が一定時間以上なかった場合には、通電がＯＮになってからの所定時間、該シート加熱手段の温度を通常よりも高くすることを特徴とする請求項１記載の画像形成装置。
【請求項４】
前記シート加熱手段への通電が一定時間以上なかった場合には、通電がＯＮになってからの所定時間、該シート加熱手段へ供給する単位時間あたりの平均電力量を通常よりも大きくすることを特徴とする請求項１記載の画像形成装置。
【請求項５】
画像形成部に給送するシートを収納するシート収納部と、
前記シート収納部の内部若しくは近傍に備えられたシート加熱手段とを有する画像形成装置において、
前記シート加熱手段への通電が一定時間以上なかった場合には、通電がＯＮになってからの所定時間、装置内部若しくは近傍の温湿度データに基づいて、前記シート加熱手段の温度若しくは該シート加熱手段へ供給する電力量を制御することを特徴とする画像形成装置。
【請求項６】
前記温湿度データは、通電がＯＦＦの状態の履歴、あるいはＯＮになった時点のいずれか一方もしくは両方であることを特徴とする請求項５記載の画像形成装置。
【請求項７】
前記シート収納部内に収納されたシートの残量を検知するシート残量検知手段を有し、
前記シート加熱手段への通電が一定時間以上なかった場合には、通電がＯＮになってからの所定時間、装置内部若しくは近傍の温湿度データと前記シート残量検知手段のいずれか一方もしくは両方の結果に基づいて、前記シート加熱手段の温度若しくは該シート加熱手段へ供給する電力量を制御することを特徴とする請求項１乃至６のいずれか１項記載の画像形成装置。
【請求項８】
前記シート加熱手段への通電が一定時間以上なかった場合には、通電がＯＮになってから前記シート収納部よりシートが所定枚数給送されるまでは、前記シート加熱手段の温度若しくは該シート加熱手段へ供給する電力量を制御することを特徴とする請求項１乃至７のいずれか１項記載の画像形成装置。
【発明の詳細な説明】
【０００１】
【発明の属する技術分野】
本発明は、電子写真方式によって画像形成を行う複写機、プリンタ、ファクシミリなどの画像形成装置に関するものである。
【０００２】
【従来の技術】
従来の画像形成装置について、図８を用いて説明する。図８は従来の画像形成装置を説明する全体構成図、図９は従来のシート収納部を説明する図である。
【０００３】
図８に示す画像形成装置は、画像形成部として、像担持体としての感光体ドラム１０１の周囲に、感光体ドラム１０１を一様に帯電する一次帯電器１０２、感光体ドラム１０１上に静電潜像を形成する露光装置１０３、静電潜像を現像してトナー像を形成する現像装置１０４、トナー像をシートに転写する転写帯電器１０５、シートを感光体ドラム１０１から分離させる分離帯電器１０６、転写後の感光体ドラム１０１上の残留トナーを除去するクリーニング装置１０７、感光体ドラム１０１上の残留電荷を除去する前露光ランプ１０８を備えている。
【０００４】
装置下部にはシート収納部としての給送カセット１１０、１１１、１１２が備えられており、夫々に収納されたサイズの異なるシートＰが給送ローラ１１３ａ〜ｃによって選択的に給送され、搬送ローラ１１５ａ〜ｃによって搬送ガイド１１６を通ってレジストローラ対１１７まで搬送される。また装置側面には手差しトレイ１１４が備えられており、搬送ローラ１１９によってレジストローラ対１１７まで給送される。転写ニップ部Ｎにおいて感光体ドラム１０１よりトナー像を転写されたシートＰは定着ローラ１１８ａと加圧ローラ１１８ｂとからなる定着装置１１８によって画像を定着された後に機外に排出される。
【０００５】
上記画像形成装置が設置、使用される場所は、季節、天候、冷暖房装置などの条件により、温湿度などの環境条件が様々に変化する。さらに給送カセット１１０〜１１２内のシートＰもそれに伴って乾燥、吸湿することによってシートの体積抵抗率、表面抵抗率も大きく変化する。特にシートが吸湿して抵抗率が低下した場合には、転写不良という問題が発生して画像不良となる。
【０００６】
上記問題を具体的に説明すると、転写帯電器１０５によって発生した転写総電流のうち、転写に寄与するドラム方向転写電流（通常は転写総電流の１０％〜２０％程度）が、シートＰを通じて搬送ローラ１１５ａ〜ｃや搬送ガイド１１６に漏れたり、分離帯電器１０６と干渉したりして減少する。これにより感光体ドラム１０１上のトナー像をシートＰ表面に転写する静電力が弱められてしまい、結果として画像濃度の低下が生じ、画像不良となってしまうものである。
【０００７】
上記転写不良を防止するために、従来からも、図９に示すように給送カセット１１０〜１１２の内部や近傍にヒータ１２０を設け、シートＰを直接加熱したり、給送カセット内の空気を加熱したりして、シートが吸湿することを防止することが広く行われている。
【０００８】
この場合において、ヒータ１２０への給電は、本体電源のＯＮ／ＯＦＦによらず可能なように設計されるのが通常であり、電源プラグがＯＮの状態である限りは、一定の電力が供給されるか一定の温度になるように制御される。これにより本体の使用状況によらず、本体内に収納されているシートの吸湿を防止している。
【０００９】
【発明が解決しようとする課題】
しかしながら、上記従来の構成にあっては、ヒータ１２０の稼働が確実でなく、シートの吸湿を防止できない場合がある。例えば、全ての画像形成装置が本体電源と別にヒータに給電するよう設計されているわけではなく、省電力等の観点から本体電源とヒータへの給電を連動させているものもあり得る。
【００１０】
また本体を使用しない夜間や休日などには、待機電力の削減、省エネルギーの観点から、あるいはユーザー不在時の安全性確保のために電源プラグを抜く場合も考えられる。かかる場合、必然的にヒータに電力は供給されないので、シートは吸湿しやすい。特にこの夜間や休日には本体を設置している部屋の空調機器も止められることが多く、湿度が上昇して吸湿が加速されやすい。
【００１１】
このような状況の後、本体電源をＯＮにするか電源プラグをＯＮにすることにより、ヒータの通電が始まったとしても、ヒータの能力としては通常シートの吸湿を防止する程度の物であるため、すでに吸湿した物を乾燥させることは難しく、ヒータに近い部分だけだったり、時間がかかるなどその効果は限定的である。
【００１２】
なお、カセットやペーパーデッキの密閉度を上げることは防湿に対して非常に有効であるが、シートを補給したり本体へ給送するための機械的機構もあるため、完全に密閉することは困難である。
【００１３】
そこで本発明は、シート加熱手段（ヒータ）に一定時間以上通電がなくシートが吸湿したと考えられる場合には、通電がＯＮになってから所定時間はシートを加熱乾燥させることによって、シート吸湿による転写不良、搬送不良などの問題を回避することのできる画像形成装置を提供することを目的としている。
【００１４】
【課題を解決するための手段】
上記課題を解決するために、本発明に係る画像形成装置の代表的な構成は、画像形成部に給送するシートを収納するシート収納部と、前記シート収納部の内部若しくは近傍に備えられたシート加熱手段とを有する画像形成装置において、前記シート加熱手段への通電がなかった時間に応じて、通電がＯＮになってからの所定時間、該シート加熱手段の温度若しくは該シート加熱手段へ供給する電力量を制御することを特徴とする。
【００１５】
【発明の実施の形態】
［第一実施形態］
本発明に係る画像形成装置の第一実施形態について、図を用いて説明する。図１は本発明に係るシート加熱手段のＯＮ／ＯＦＦ制御のシーケンスを示す図、図２は画像形成装置の全体構成図、図３及び図４はヒータの他の制御のシーケンスを示す図である。
【００１６】
（画像形成装置の全体構成）
まず、図２を用いて画像形成装置の全体構成について説明する。図に示す画像形成装置は、像担持体としてのドラム型の感光体ドラム１（電子写真感光体）と、その周囲に一次帯電器２（コロナ帯電器）、露光装置３、現像装置４、転写帯電器５、分離帯電器６、クリーニング装置７、前露光ランプ８を備えている。
【００１７】
感光体ドラム１は本実施形態では負帯電の有機感光体で、アルミニウム製のドラム基体（不図示）上に感光層（不図示）を有しており、矢印方向（時計方向）に所定の周速度（プロセススピード）で回転駆動される。一次帯電器２は、感光体ドラム１表面をコロナ放電によって発生するコロナイオンにより、所定の極性、電位に一様に帯電する。露光装置３は、入力される画像情報（画像信号）に応じたレーザ光Ｌ（画像露光）を、一次帯電器２により帯電処理された感光体ドラム１表面に行う。露光装置３から照射されるレーザ光Ｌによる画像露光により、感光体ドラム１表面に入力された画像情報に対応した静電潜像が形成される。現像装置４は、回転自在な現像スリーブ９により現像位置にて前記静電潜像にトナーを付着させて、トナー像として顕像化する。
【００１８】
次に、上記した画像形成装置の画像形成動作について説明する。
【００１９】
画像形成時には、感光体ドラム１は駆動手段（不図示）により矢印方向に所定のプロセススピードで回転駆動され、一次帯電器２により表面が一様に、例えば−７００Ｖに帯電される。そして、帯電された感光体ドラム１上に露光装置３からレーザ光を照射してレーザ光Ｌが与えられて、入力される原稿（不図示）の画像情報に応じた静電潜像が形成される。そして、この静電潜像に、感光体ドラム１の帯電極性と同極性の現像バイアスが印加された現像スリーブ９によりトナーを付着させて、トナー像として現像される。
【００２０】
そして、感光体ドラム１上のトナー像が感光体ドラム１と転写帯電器５間の転写ニップ部Ｎに到達すると、レジストローラ対１７によりこのタイミングに合わせて給送カセット１０、１１、１２又は手差しトレイ１４から選択して給送されているシートＰが転写ニップ部Ｎに搬送されて、トナーと逆極性の転写バイアスが印加された転写帯電器５により、シートＰ表面に感光体ドラム１上のトナー像が転写される。
【００２１】
給送カセット１０、１１、１２にはそれぞれサイズの異なるシートＰが収納されており、各シートＰは各給送ローラ１３ａ、１３ｂ、１３ｃによって一枚ずつ給送され、搬送ローラ１５ａ、１５ｂ、１５ｃにより搬送ガイド１６を通してレジストローラ対１７まで搬送される。また手差しトレイ１４には任意のサイズのシートを収納することができ、搬送ローラ１９によりレジストローラ対１７まで搬送することができる。
【００２２】
そして、転写ニップ部Ｎにてトナー像が転写されたシートＰは、分離帯電器６によってシートＰと感光体ドラム１との静電吸着力が弱められて感光体ドラム１から分離された後に、定着器１８の定着ローラ１８ａと加圧ローラ１８ｂ間へ搬送され、加熱、加圧によりトナー像がシートＰ表面に熱定着されて排出される。
【００２３】
また、両面画像形成や多重画像形成モードでの画像形成の場合は、シートＰの一面目の画像形成を終えて定着器１８を通過した後、不図示のパスを通って再びレジストローラ対１７から転写ニップ部Ｎに給送される。
【００２４】
また、トナー像転写後の感光体ドラム１表面に残留している転写残トナーはクリーニング装置７（クリーニングブレード）によって除去されて回収され、更に感光体ドラム１表面の残留電荷は前露光ランプ８で除去され、次の画像形成に備えられる。
【００２５】
（シート加熱手段）
上記各給送カセット１０〜１２には、シート加熱手段として、上部に第一ヒータ２０ａ〜ｃを設けており、四方の周囲に第二ヒータ２１ａ〜ｃを設けている。これら第一ヒータ２０、第二ヒータ２１は電力制御手段２２によって電力を供給されて駆動され、次に述べるように温度制御される。
【００２６】
本実施形態において、画像形成装置が稼働している通常状態においては、第一ヒータ２０のみが駆動され、一定の温度（例えば５０度）に制御されている。そして、第一ヒータ２０への通電がＯＦＦされていた時間に応じて、第二ヒータ２１への通電をＯＮさせるものである。
【００２７】
図１にシート加熱手段のＯＮ／ＯＦＦ制御のシーケンスを示す。本体電源がＯＦＦにされ（Ｔ１）、数分後に電源プラグも抜かれたとすると、この時点で第一ヒータ２０もＯＦＦになる（Ｔ２）。
【００２８】
そして本体の電源プラグがＯＮになった時に（Ｔ３）、第一ヒータ２０が８時間以上ＯＦＦになっていた場合には、シートの吸湿度合いが大きいと判断する。そこで、本体の電源プラグ、電源がＯＮになった後は、第一ヒータ２０、第二ヒータ２１ともにＯＮになるように制御し、給送カセット１０〜１２内の乾燥を促進させる。このとき第一ヒータ２０、第二ヒータ２１共に、一定の温度（例えば５０度）に制御されている。そして所定時間（例えば２時間）経過して（Ｔ４）シートの乾燥がある程度進んだら、通常状態として第二ヒータ２１はＯＦＦにし、第一ヒータ２０のみを動作させて吸湿防止をする。
【００２９】
上記構成により、ヒータが長時間ＯＦＦになってシートが一時的に吸湿しても、次にヒータがＯＮになった後に乾燥を促進させることができ、転写不良、搬送不良などの問題を回避することができる。また一つのカセットに対してヒータを２個使用することにより、均一かつ効果的に乾燥を行うことができる。
【００３０】
なお、本体電源とヒータへの給電が連動しておらず、本体電源がＯＦＦになってもヒータの通電に影響がない画像形成装置であれば、図３に示すように本体電源のＯＮ／ＯＦＦによらずヒータは通電される。そして上記実施形態の如く電源プラグをもＯＦＦされない限りは、シート加熱手段を格別に制御する必要はなく、常に一定電力を供給したり、所定の温度範囲内に調整されるよう制御すれば足りる。なお温度調整を行う場合には、ＯＮの時間で示した部分でも実際には適度なデューティでＯＮ／ＯＦＦが繰り返されている。
【００３１】
また、上記の例において、ヒータのＯＦＦ時間が８時間と想定したが、図４に示すようにＯＦＦ時間が２時間程度と短く、シートの吸湿が余り進まないと考えられれば、ヒータ通電再開後のヒータへの電力供給は強化しなくてもよい。ヒータＯＦＦ時間がどの程度長くなったら強化するかは、適宜変更可能である。
【００３２】
［第二実施形態］
本発明に係る画像形成装置の第二実施形態について、図を用いて説明する。図５は本実施形態に係るシート加熱手段のＯＮ／ＯＦＦ制御のシーケンスを示す図であって、上記第一実施形態と説明の重複する部分については同一の符号を付して説明を省略する。
【００３３】
上記第一実施形態においてはシート加熱手段として第一ヒータ２０、第二ヒータ２１と２つのヒータを設けて示したが、本実施形態においては第一ヒータ２０のみを設け、所定の制御を行うものである。
【００３４】
図５に示すように、第一ヒータ２０がＯＦＦされ（Ｔ２）、通電再開（Ｔ３）後から、所定時間（例えば２時間）経過（Ｔ４）するまで、第一ヒータ２０の温度を５０度−＞６５度と高く制御する。これにより、吸湿したシートの乾燥を促進することができ、シートの吸湿に伴う転写不良、搬送不良などの問題を回避することができる。
【００３５】
なお、第一ヒータ２０を温度ではなく電力量によって制御している場合には、上記Ｔ３からＴ４の間を、平均電力量を通常よりも大きくすることで同様の効果を得ることができる。
【００３６】
［第三実施形態］
本発明に係る画像形成装置の第三実施形態について、図を用いて説明する。図６は本実施形態に係るシート加熱手段のＯＮ／ＯＦＦ制御のシーケンスを示す図であって、上記第一実施形態と説明の重複する部分については同一の符号を付して説明を省略する。
【００３７】
本実施形態は第一、第二実施形態を組み合わせた物であり、２つのシート加熱手段、すなわち給送カセットの上側の第一ヒータ２０、給送カセットの四方の周囲の第二ヒータ２１を備えている。
【００３８】
図６に示すように、第一ヒータ２０がＯＦＦされ（Ｔ２）、通電再開（Ｔ３）後から、所定時間（例えば２時間）経過（Ｔ４）するまで、第一ヒータ２０の温度を５０度−＞６５度に上げると共に、通常は用いない第二ヒータ２１にも電力を供給する。これにより、吸湿したシートの乾燥をより効果的に促進することができる。
【００３９】
［第四実施形態］
本発明に係る画像形成装置の第四実施形態について、図を用いて説明する。図７は本実施形態に係るシート加熱手段のＯＮ／ＯＦＦ制御のシーケンスを示す図であって、上記第一実施形態と説明の重複する部分については同一の符号を付して説明を省略する。
【００４０】
上記第一乃至第三実施形態においては、シート加熱手段への通電がなかった時間に応じて、通電がＯＮになってからの所定時間、シート加熱手段の温度若しくはシート加熱手段へ供給する電力量を制御するよう構成して示した。これに対し本実施形態は、装置内部若しくは近傍の温湿度データに基づいて、シート加熱手段の温度若しくはシート加熱手段へ供給する電力量を制御することを特徴とする。なお本実施形態においては１つのシート加熱手段（第一ヒータ２０）のみを用いて説明する。
【００４１】
画像形成装置には、不図示の温湿度検知手段が設けられており、装置の内部若しくは近傍の温度、湿度を検知可能に構成されている。図７（ａ）に示すように、第一ヒータ２０がＯＦＦされ（Ｔ２）、通電再開（Ｔ３）された場合を考える。
【００４２】
図７（ｂ）は、ヒータＯＦＦ中が高温高湿であった場合を示している。夏場のオフィスなどで、空調設備が止まる夜間や、休日におこりやすい条件であり、シートの吸湿が著しい。そこで通電再開（Ｔ３）後から、所定時間（例えば２時間）経過（Ｔ４）するまで、第一ヒータ２０の温度を例えば５０度−＞６５度と高く上げるように制御する。
【００４３】
図７（ｃ）は、ヒータＯＦＦ中が常温常湿であった場合を示している。この場合、シートの吸湿はそれほど多くないので、通電再開後も通常の温度設定で行う。
【００４４】
図７（ｄ）は、ヒータＯＦＦ中が低湿であった場合を示している。この場合は、ヒータがＯＦＦであってもシートが吸湿するおそれが全くないため、通電再開（Ｔ３）後はＯＦＦのままでよい。
【００４５】
上記構成により、ヒータＯＦＦ中の温湿度からシートの吸湿度合いを判断して、ヒータ通電再開後のヒータの温度若しくはヒータへの電力供給量を制御することにより、電力を無駄に消費することなくシートを適度な状態に乾燥させることができ、吸湿に伴う転写不良、搬送不良を防止することが可能となる。
【００４６】
なお、ヒータ通電ＯＦＦ中の温湿度は、一定時間ごと、あるいは連続的にデータをとって総合的に判断してもよい。例えば、低湿度状態で１０時間推移した後、湿度が７０％程度まで高くなったら、ヒータ通電再開後は上記制御を強化する。逆に１０時間６０％の後に４０％程度で２時間推移していれば、通常の温度で制御するようにしてもよい。
【００４７】
また、簡単のために、ヒータ通電ＯＦＦ時の温湿度が時間経過によってあまり変わらない環境に装置本体が設置されていれば、ヒータ通電再開時の温湿度条件だけで判断してもよい。
【００４８】
［第五実施形態］
本発明に係る画像形成装置の第五実施形態について説明する。上記第一実施形態と説明の重複する部分については、同一の符号を付して説明を省略する。本実施形態において画像形成装置は、給送カセット１０〜１２に、不図示のシート残量検知手段を有し、これを用いて制御を行うものである。
【００４９】
上記各実施形態において、ヒータ通電再開後の通電強化時間を例えば２時間として説明してきたが、この間に画像形成を繰り返して給送カセット内のシートを使いきってしまえば、その給送カセットに対してはヒータ通電の強化をする必要性はなくなる。
【００５０】
従って、給送カセット内のシートの残量検知が可能であれば、上記各実施形態の制御に加え、給送カセットの残量がゼロになった時点で通常の制御に戻してもよい。あるいは、例えば最大５００枚収納可能なカセットであれば、実際の収納枚数に関係なく所定のカセットから給送されるシート枚数をカウントして、５００枚に達したら通常の制御に戻すようにしてもよい。また、残量検知手段があれば残量がゼロになった時点で通常の制御に戻してもよい。あるいはまた、残量の枚数に応じて制御してもよい。
【００５１】
以上各実施形態について説明してきたが、通電開始後にヒータ通電を強化する方法は、単一ヒータの温度上昇、通常用いないヒータをＯＮにするなどの手法の一つもしくは組合せで行ってもよい。また、本発明は、ヒータの温度、ヒータに印加するバイアス条件、ヒータの種類も特に限定するものではない。また、通電を強化する時間やその間の給送枚数も適宜変更可能であり、また通電が停止していた時間や、その間の装置内部や近傍の温湿度推移などの環境条件も、適宜設定することができる。
【００５２】
【発明の効果】
上記説明した如く、本発明に係る画像形成装置においては、シート加熱手段に一定時間以上通電がなくシートが吸湿した場合でも、通電がＯＮになってからの所定時間ヒータへ供給する電力を通常より大きくして温度を上げたり、通常はＯＦＦになっているヒータをＯＮすることによってシートの乾燥を促進することにより、シート吸湿による転写不良、搬送不良などの問題を回避することが可能となる。
【００５３】
また、通電がＯＦＦの間の装置内部若しくは近傍の温湿度データ、あるいはＯＮになった時点の温湿度データの一方もしくは両方に基づいてヒータへの電力量を制御することによって、シートの乾燥をより最適に行うことができると共に、無駄な電力消費を抑えることができる。
【００５４】
また上記制御をシート収納部内にシートがなくなるまでとすることにより、シート収納部内で吸湿したシートに対してのみ乾燥を行うことができるため、吸湿したシートを使用した後も過剰にヒータに給電することがなくなり、電力消費削減や機内昇温防止に効果的である。
【図面の簡単な説明】
【図１】第一実施形態に係るシート加熱手段の制御シーケンスを示す図である。
【図２】画像形成装置の全体構成図である。
【図３】ヒータの他の制御のシーケンスを示す図である。
【図４】ヒータの他の制御のシーケンスを示す図である。
【図５】第二実施形態に係るシート加熱手段の制御シーケンスを示す図である。
【図６】第三実施形態に係るシート加熱手段の制御シーケンスを示す図である。
【図７】第四実施形態に係るシート加熱手段の制御シーケンスを示す図である。
【図８】従来の画像形成装置を説明する全体構成図である。
【図９】従来のシート収納部を説明する図である。
【符号の説明】
Ｌ　　　　…レーザ光
Ｎ　　　　…転写ニップ部
Ｐ　　　　…シート
１　　　　…感光体ドラム
２　　　　…一次帯電器
３　　　　…露光装置
４　　　　…現像装置
５　　　　…転写帯電器
６　　　　…分離帯電器
７　　　　…クリーニング装置
８　　　　…前露光ランプ
９　　　　…現像スリーブ
１０　　　　…給送カセット
１１　　　　…給送カセット
１２　　　　…給送カセット
１３　　　　…給送ローラ
１４　　　　…手差しトレイ
１５　　　　…搬送ローラ
１６　　　　…搬送ガイド
１７　　　　…レジストローラ対
１８　　　　…定着器
１８ａ　　…定着ローラ
１８ｂ　　…加圧ローラ
１９　　　　…搬送ローラ
２０　　　　…第一ヒータ
２１　　　　…第二ヒータ
２２　　　　…電力制御手段
１０１　　　…感光体ドラム
１０２　　　…一次帯電器
１０３　　　…露光装置
１０４　　　…現像装置
１０５　　　…転写帯電器
１０６　　　…分離帯電器
１０７　　　…クリーニング装置
１０８　　　…前露光ランプ
１１０　　　…給送カセット
１１１　　　…給送カセット
１１２　　　…給送カセット
１１３　　　…給送ローラ
１１４　　　…手差しトレイ
１１５　　　…搬送ローラ
１１６　　　…搬送ガイド
１１７　　　…レジストローラ対
１１８　　　…定着装置
１１８ａ　…定着ローラ
１１８ｂ　…加圧ローラ
１１９　　　…搬送ローラ
１２０　　　…ヒータ
【図１】
2004026394.tif 000003
【図２】
2004026394.tif 000004
【図３】
2004026394.tif 000005
【図４】
2004026394.tif 000006
【図５】
2004026394.tif 000007
【図６】
2004026394.tif 000008
【図７】
2004026394.tif 000009
【図８】
2004026394.tif 000010
【図９】
2004026394.tif 000011